(57)【要約】【課題】封筒作成ジョブに封入封緘処理を実行可能な封入封緘条件を満たさない通が含まれていた場合でも、印刷処理および封入封緘処理を継続する。【解決手段】封筒作成ジョブに基づいて封筒および内容物を通単位で印刷する印刷装置１と、印刷装置１により印刷された内容物を折り畳んで封筒に封入して封緘する封入封緘装置２とを備えた画像形成システム１００であって、封筒作成ジョブに含まれる封筒および内容物に関する情報が、封入封緘装置により封入封緘可能な封筒および内容物の条件である封入封緘条件を満たすか否かを通単位で判定する判定手段１７１ａと、封入封緘条件を満たさないと判定された通に先立ち、後続の通の印刷処理および封入封緘処理を優先して実行する処理順決定手段１７１ｂとを備える。【選択図】図２
2019038226.tif 000002
【特許請求の範囲】
【請求項１】
封筒作成ジョブに基づいて封筒および内容物を通単位で印刷する印刷装置と、前記印刷装置により印刷された内容物を折り畳んで前記封筒に封入して封緘する封入封緘装置とを備えた画像形成システムであって、
前記封筒作成ジョブに含まれる前記封筒および前記内容物に関する情報が、前記封入封緘装置により封入封緘可能な前記封筒および前記内容物の条件である封入封緘条件を満たすか否かを前記通単位で判定する判定手段と、
前記判定手段により封入封緘条件を満たさないと判定されたときには、後続の封入封緘条件を満たす通の印刷処理および封入封緘処理を実行させる処理順決定手段と、
を備えたことを特徴とする画像形成システム。
【請求項２】
前記判定手段により、前記封入封緘条件を満たさない通があると判定された場合に、当該封入封緘条件を満たさない通に関する情報を報知する報知手段を、
さらに備えたことを特徴とする請求項１記載の画像形成システム。
【請求項３】
前記判定手段により、前記封入封緘条件を満たさない通があると判定された場合に、当該封入封緘条件を満たさない通のサムネイル画像を生成するサムネイル生成手段を、さらに備え、
前記報知手段は、前記サムネイル生成手段により生成されたサムネイル画像を表示する
ことを特徴とする請求項２記載の画像形成システム。
【発明の詳細な説明】
【技術分野】
【０００１】
本発明は、ジョブに封入封緘処理を実行可能な封入封緘条件を満たさない通が含まれていた場合でも、印刷処理および封入封緘処理を継続する画像形成システムに関する。
【背景技術】
【０００２】
従来、画像データに基づいて封筒に宛先情報を印刷すると共に、その封筒に封入される内容物を印刷する画像形成装置に、宛先情報が印刷された封筒に内容物を封入して封緘する封入封緘装置が接続された画像形成システムがある。
【０００３】
画像データは、画像形成システムとネットワークを介して接続された端末において、例えば汎用の文書作成アプリケーションを用いて生成され、生成された画像データを含むジョブが端末から画像形成システムへ送信される。この画像データは、封筒に印刷するための封筒原稿データと内容物に印刷するための内容物データとが通毎に連続して構成されている。
【０００４】
ここで、封入封緘装置は、その装置構成により、例えば、１つの封筒に封入封緘可能な内容物の枚数など、封入封緘処理を実行可能な封入封緘条件がある。端末では、汎用の文書作成アプリケーションを用いて封入封緘装置の装置構成に関わらずジョブを生成するので、端末から送信されたジョブが必ずしも封入封緘条件を満たすとは限らない。
【０００５】
特許文献１には、画像が形成された印刷物を製本する製本機と、製本動作の制限枚数を検知する制限枚数検知手段と、ホストコンピュータからの送信データを印刷した際の印刷枚数を算出する印刷枚数算出手段とを有する画像形成装置に関する技術が開示されている。この画像形成装置では、ホストコンピュータからの送信データによる指示が、製本機による製本動作を指定しているとき、印刷枚数算出手段により得られた印刷枚数が、制限枚数検知手段により得られた製本機の制限枚数の範囲内である場合に限り印刷を開始し、制限枚数の範囲外である場合、送信データをキャンセルして印刷を停止する。
【先行技術文献】
【特許文献】
【０００６】
【特許文献１】特開２００８−１２６４８２号公報
【発明の概要】
【発明が解決しようとする課題】
【０００７】
上記の特許文献１に記載の画像形成装置では、印刷枚数が制限枚数の範囲外である場合、送信データをキャンセルして印刷を停止するので、制限枚数の範囲外である通が含まれると、その通で印刷処理および製本処理が停止してしまう。
【０００８】
この特許文献１に記載の技術を画像形成装置と封入封緘装置とを備えた画像形成システムに適用したとすると、印刷枚数が制限枚数の範囲外である通があるたびに印刷処理および封入封緘処理が停止することになる。そのため、ユーザがその都度、制限枚数の範囲内となるように送信データ（ジョブ）を作り直し、再度、画像形成装置に実行させるまでの間、印刷処理および封入封緘処理は停止した状態となる。
【０００９】
特に、画像形成システムにおいて何時間もかけて封筒を大量に作成する場合、ユーザは端末から画像形成システムへ送信データ（ジョブ）を送信した後、画像形成システムが継続して処理を実行することを前提に長時間放置することもあり得る。そして、長時間放置した後に、作成された封筒を回収しようとすると、送信データ（ジョブ）の中に制限枚数の範囲外である通があり印刷処理および封入封緘処理は停止した状態となっていることもある。このような場合、さらに何時間もかけて封筒を作成する必要があり、生産性が極端に低下する。
【００１０】
本発明は、このような課題に鑑みてなされたもので、ジョブに封入封緘処理を実行可能な封入封緘条件を満たさない通が含まれていた場合でも、印刷処理および封入封緘処理を継続することができる画像形成システムを提供することを目的とする。
【課題を解決するための手段】
【００１１】
上記目的を達成するため、本発明に係る画像形成システムの第１の特徴は、
封筒作成ジョブに基づいて封筒および内容物を通単位で印刷する印刷装置と、前記印刷装置により印刷された内容物を折り畳んで前記封筒に封入して封緘する封入封緘装置とを備えた画像形成システムであって、
前記封筒作成ジョブに含まれる前記封筒および前記内容物に関する情報が、前記封入封緘装置により封入封緘可能な前記封筒および前記内容物の条件である封入封緘条件を満たすか否かを前記通単位で判定する判定手段と、
前記判定手段により封入封緘条件を満たさないと判定されたときには、後続の封入封緘条件を満たす通の印刷処理および封入封緘処理を実行させる処理順決定手段と、
を備えたことにある。
【発明の効果】
【００１２】
本発明に係る画像形成システムの第１の特徴によれば、ジョブに封入封緘処理を実行可能な封入封緘条件を満たさない通が含まれていた場合でも、印刷処理および封入封緘処理を継続することができる。
【図面の簡単な説明】
【００１３】
【図１】本発明に係る実施形態の画像形成システムの概略構成を示した図である。
【図２】本発明に係る実施形態の画像形成システムが備える印刷装置の制御部の構成を示すブロック図である。
【図３】本発明に係る実施形態の画像形成システムが備える印刷装置にて受信される封筒作成ジョブＤのデータ構造を示す図である。
【図４Ａ】本発明に係る実施形態の印刷装置が備える判定手段による、封筒に封入可能な最大封入枚数が封入封緘条件として設定されている場合の判定処理を説明した説明図である。
【図４Ｂ】本発明に係る実施形態の印刷装置が備える判定手段による、封筒に封入可能な内容物の用紙サイズが封入封緘条件として設定されている場合の判定処理を説明した説明図である。
【図４Ｃ】本発明に係る実施形態の印刷装置が備える判定手段による、封筒用紙の用紙サイズが封入封緘条件として設定されている場合の判定処理を説明した説明図である。
【図５】本発明に係る実施形態の印刷装置が備える報知手段が封入封緘条件を満たさない通に関する情報を操作パネル上に表示した表示画面の一例を示した図である。
【図６】本発明に係る実施形態の画像形成システムが備える印刷装置の動作を示すフローチャートである。
【発明を実施するための形態】
【００１４】
以下、本発明に係る実施形態の画像形成システムについて、図面を参照して説明する。なお、以下に示す実施形態では、この発明の技術的思想を具体化するために例示したものであって、この発明の技術的思想は、各構成部品の配置等を下記のものに特定されるものではなく、種々の変更を加えることができる。
【００１５】
図１は、本発明に係る実施形態の画像形成システム１００の概略構成を示した図である。図１に示すように、画像形成システム１００は、印刷装置１と、この印刷装置１に接続された封入封緘装置２と、印刷装置１にネットワーク４を介して接続されたコンピュータ５とを備えている。
【００１６】
コンピュータ５は、制御プログラムに基づいて各種の処理を実行するＣＰＵ（図示しない）等を有する一般的なコンピュータの構成を備えている。このＣＰＵには、ワーキングエリアとして機能するＲＡＭや、データを格納するＲＯＭ等が接続されているとともに、各種インターフェイスを介して、キーボードやマウス等から構成される入力部や、液晶ディスプレイ等から構成される出力部などが接続されている。
【００１７】
そして、コンピュータ５のＣＰＵが、ユーザ操作に基づいて文書作成アプリケーションを実行することにより、印刷装置１と封入封緘装置２とに封筒を作成させるための封筒作成ジョブを生成し、ネットワーク４を介して、生成した封筒作成ジョブを印刷装置１へ送信する。
【００１８】
印刷装置１は、封筒及び内容物の印刷用紙に対し、コンピュータ５により生成された封筒作成ジョブに含まれる画像データに基づいて印刷を行って排出する装置である。図１に示すように、印刷装置１は、各部を収納する筐体１０の内部又は側面等に、複数種類の用紙（内容物の印刷用紙や封筒用紙）を収納した複数の給紙トレイ（Ｐ１〜Ｐ３）と、複数の給紙トレイ（Ｐ１〜Ｐ３）から内容物の印刷用紙や封筒用紙を取り出す導入路１１と、導入路１１からの封筒および印刷用紙を搬送するループ状の搬送路１２とを有する。
【００１９】
また、印刷装置１は、搬送路１２によって搬送された封筒および内容物の用紙に対し、シアン（Ｃ）、ブラック（Ｋ）、マゼンタ（Ｍ）、イエロー（Ｙ）の各色のインクをそれぞれ吐出する４つのインクジェットヘッドＣ、Ｋ、Ｍ、Ｙからなる印刷実行部１３と、印刷済みの封筒や内容物を封入封緘装置２へ排出する第１排出路１４と、印刷済みの用紙を封入封緘装置２へ排出せず、印刷装置１で排出する第２排出路１５と、搬送路１２を搬送されてきた印刷済みの用紙を受け入れた後に逆行させて搬送路１２に戻して用紙の上下を反転させるスイッチバック路１６と、この印刷装置１および封入封緘装置２の全体の各構成の動作を制御する制御部１７とを備える。
【００２０】
封入封緘装置２は、印刷装置１の第１排出路１４から送られた印刷済みの封筒および内容物を受け入れ、印刷済みの封筒用紙に内容物を折り畳んで封入して封緘する装置であり、印刷装置１の第１排出路１４から斜め下方に延設される内容物を搬送する搬送経路２１と、封筒を搬送する搬送経路２２と、搬送経路２２に印刷済みの封筒を順次供給する封筒供給部２４と、搬送経路２１に印刷済みの内容物（封入物）を封筒に対して順次供給する内容物供給部２３とを備える。
【００２１】
また、封入封緘装置２は、各搬送経路２１，２２を搬送された内容物（封入物）を折り畳み、搬送されてきた封筒に封入し、内容物（封入物）が封入された封筒を封緘する封入封緘部２５と、封緘された封筒（封書）が排出されて貯められる貯留部２６とを備える。なお、この封入封緘装置２では、図示はしないが、以上の構成部材の他に、封筒用紙を接着する構成部材や、封緘された封書を貯留部２６へ搬送する搬送手段等を備える。
【００２２】
図２は、本発明に係る実施形態の画像形成システム１００が備える印刷装置１の制御部１７の構成を示すブロック図である。
【００２３】
図２に示すように、この印刷装置１の制御部１７は、ＣＰＵ１７１と、ＲＡＭ等のメモリ１７２と、ＣＰＵ１７１が動作するための各種プログラムが記憶されたＲＯＭ等のプログラム記憶部１７３と、コンピュータ５から受信した封筒作成ジョブを記憶するハードディスク１７４とを有する。
【００２４】
ＣＰＵ１７１は、プログラム記憶部１７３に記憶されたプログラムを実行することによって印刷装置１および封入封緘装置２の全体の動作を制御すると共に、後述するように判定手段１７１ａ、処理順決定手段１７１ｂ、サムネイル生成手段１７１ｃおよび報知手段１７１ｄとして機能する。
【００２５】
図３は、本発明に係る実施形態の画像形成システム１００が備える印刷装置１にて受信される封筒作成ジョブＤのデータ構造を示す図である。
【００２６】
図３に示すように、封筒作成ジョブＤは、ヘッダ部３１と、ペイロード部３２とから構成されている。
【００２７】
ヘッダ部３１には、封筒作成ジョブＩＤ３１ａや、封筒情報３１ｂ、内容物情報３１ｃ等が含まれている。
【００２８】
封筒作成ジョブＩＤ３１ａは、この印刷ジョブが単純に用紙を印刷して第２排出路１５へ排出させる通常の印刷ジョブではなく、封筒および内容物を印刷して第１排出路１４を介し封入封緘装置２へ排出して封筒の中に内容物を封入して封緘させる封筒作成ジョブＤであることを示す識別情報である。
【００２９】
封筒情報３１ｂは、封筒作成ジョブＤによって印刷される封筒種類、例えば、和封筒の長形３号や、洋封筒の洋形４号等を示す情報や、その封筒に封入可能な内容物の最大封入枚数等の封筒に関する情報を含んでいる。
【００３０】
内容物情報３１ｃは、封筒作成ジョブＤによって印刷する内容物の用紙サイズ、例えば、Ｂ５サイズやＡ４サイズ等の情報、封筒作成ジョブＤによって印刷する内容物の枚数、二つ折り、三つ折り、又は四つ折りなどの印刷された内容物の折数などの内容物に関する情報を含んでいる。
【００３１】
ペイロード部３２は、封筒作成ジョブＤによって封筒に印刷する封筒の宛先を示す住所や郵便番号等の宛先情報３２ａや、封筒作成ジョブＤによって内容物に印刷するテキスト（文章）や、図柄、写真等の画像データ３２ｂ等の封筒や内容物に印刷されるデータを含んでいる。
【００３２】
図２に戻り、ＣＰＵ１７１は、判定手段１７１ａとして機能し、ハードディスク１７４に処理待ちの封筒作成ジョブＤがある場合、封筒作成ジョブＤのヘッダ部３１に含まれる封筒情報３１ｂおよび内容物情報３１ｃを取得する。そして、判定手段１７１ａは、取得した封筒情報３１ｂおよび内容物情報３１ｃが、封入封緘条件を満たすか否かを通単位で判定する。ここで、封入封緘条件とは、封入封緘装置２により封入封緘可能な封筒および内容物の条件であり、例えば、封筒に封入可能な最大封入枚数や、内容物の用紙サイズの制約や、封筒用紙の用紙サイズの制約などである。ここでは、封入封緘条件として、最大封入枚数が“５”（枚）、内容物の用紙サイズが“Ａ４”、封筒用紙の用紙サイズ“長形３号”と設定されているとする。この封入封緘条件は、プログラム記憶部１７３に予め記憶されていてもよいし、封筒作成ジョブＤの封筒情報３１ｂに記憶するようにしてもよい。
【００３３】
そして、ＣＰＵ１７１は、処理順決定手段１７１ｂとして機能し、判定手段１７１ａにより封入封緘条件を満たすと判定された通については順次、印刷処理および封入封緘処理を実行する。その一方、判定手段１７１ａにより封入封緘条件を満たさないと判定された通については、一時的にハードディスク１７４に記憶し、後続の封入封緘条件を満たす通の印刷処理および封入封緘処理を優先して実行させる。
【００３４】
図４Ａ〜図４Ｃは、本発明に係る実施形態の印刷装置１が備える判定手段１７１ａによる判定処理を説明した説明図である。
【００３５】
図４Ａは、封筒に封入可能な最大封入枚数が封入封緘条件として設定されている場合の例を示している。
【００３６】
図４Ａに示すように、ハードディスク１７４に処理待ちの封筒作成ジョブＤとして、封筒作成ジョブＤ１，Ｄ２が記憶されている。封筒作成ジョブＤ１は、第１通目の画像データ１０１から第１０通目の画像データ１１０までの計１０通の画像データを含み、これらは通ごとに連続して構成されている。それぞれの画像データは、内容物に印刷するための内容物データと封筒に印刷するための封筒原稿データとを含んでいる。例えば、第１通目の画像データ１０１は、内容物データ１０１ａと、封筒原稿データ１０１ｂとを含んでいる。
【００３７】
ここで、図４Ａに示すように、第５通目の内容物データ１０５ａの内容物枚数は“６”（枚）である。ここでは、封入封緘条件として、最大封入枚数が“５”（枚）と設定されているので、判定手段１７１ａは、第５通目の内容物データ１０５ａの内容物枚数が最大封入枚数を超えている、即ち、封入封緘条件を満たしていないと判定する。
【００３８】
そこで、処理順決定手段１７１ｂは、判定手段１７１ａにより封入封緘条件を満たさないと判定された第５通目の画像データ１０５に先立ち、後続の通の印刷処理および封入封緘処理を優先して実行する。
【００３９】
これにより、封筒作成ジョブＤ１に、封入封緘条件を満たさない画像データが含まれていたとしても、印刷処理および封入封緘処理を停止することなく、後続の通の印刷処理および封入封緘処理を継続して実行することができる。さらに、封筒作成ジョブＤ１の処理が終了すると、次に処理待ちの封筒作成ジョブＤ２の印刷処理および封入封緘処理を実行することができる。
【００４０】
なお、最大封入枚数は“０”として設定することも可能である。この場合、内容物データの内容物枚数が“１”以上である場合、判定手段１７１ａは、内容物枚数が最大封入枚数を超えている、即ち、封入封緘条件を満たしていないと判定する。
【００４１】
図４Ｂは、封筒に封入可能な内容物の用紙サイズが封入封緘条件として設定されている場合の例を示している。
【００４２】
図４Ｂに示すように、ハードディスク１７４に処理待ちの封筒作成ジョブＤとして、封筒作成ジョブＤ３，Ｄ４が記憶されている。封筒作成ジョブＤ３は、封筒作成ジョブＤ１と同様に、第１通目の画像データ３０１から第１０通目の画像データ３１０までの計１０通の画像データを含み、これらは通ごとに連続して構成されている。
【００４３】
ここで、図４Ｂに示した図では、第５通目以外の内容物データ３０１ａ〜３０４ａ，３０６ａ〜３１０ａの用紙サイズは“Ａ４”であり、第５通目の内容物データ３０５ａの用紙サイズは“Ａ３”であるとする。
【００４４】
ここでは、封入封緘条件として、内容物の用紙サイズが“Ａ４”と設定されているので、判定手段１７１ａは、第５通目の内容物データ３０５ａの用紙サイズが封入封緘条件を満たしていないと判定する。
【００４５】
そこで、処理順決定手段１７１ｂは、判定手段１７１ａにより封入封緘条件を満たさないと判定された第５通目の画像データ３０５に先立ち、後続の通の印刷処理および封入封緘処理を優先して実行する。
【００４６】
これにより、封筒作成ジョブＤ１に、封入封緘条件を満たさない画像データが含まれていたとしても、印刷処理および封入封緘処理を停止することなく、後続の通の印刷処理および封入封緘処理を継続して実行することができる。さらに、封筒作成ジョブＤ３の処理が終了すると、次に処理待ちの封筒作成ジョブＤ４の印刷処理および封入封緘処理を実行することができる。
【００４７】
図４Ｃは、封筒用紙の用紙サイズが封入封緘条件として設定されている場合の例を示している。
【００４８】
図４Ｃに示すように、ハードディスク１７４に処理待ちの封筒作成ジョブＤとして、封筒作成ジョブＤ５，Ｄ６が記憶されている。封筒作成ジョブＤ５は、封筒作成ジョブＤ１と同様に、第１通目の画像データ５０１から第１０通目の画像データ５１０までの計１０通の画像データを含み、これらは通ごとに連続して構成されている。
【００４９】
ここで、図４Ｃに示した図では、第５通目以外の封筒原稿データ５０１ｂ〜５０４ｂ，５０６ｂ〜５１０ｂの用紙サイズは“長形３号”であり、第５通目の封筒原稿データ５０５ａの用紙サイズは“角形７号”であるとする。
【００５０】
ここでは、封入封緘条件として、封筒原稿データの用紙サイズが“長形３号”と設定されているので、判定手段１７１ａは、５通目の封筒原稿データ５０５ｂの用紙サイズが封入封緘条件を満たしていないと判定する。
【００５１】
そこで、処理順決定手段１７１ｂは、判定手段１７１ａにより封入封緘条件を満たさないと判定された５通目の画像データ５０５に先立ち、後続の通の印刷処理および封入封緘処理を優先して実行する。
【００５２】
これにより、封筒作成ジョブＤ５に、封入封緘条件を満たさない画像データが含まれていたとしても、印刷処理および封入封緘処理を停止することなく、後続の通の印刷処理および封入封緘処理を継続して実行することができる。さらに、封筒作成ジョブＤ５の処理が終了すると、次に処理待ちの封筒作成ジョブＤ６の印刷処理および封入封緘処理を実行することができる。
【００５３】
サムネイル生成手段１７１ｃは、判定手段１７１ａにより、封筒作成ジョブに含まれる封筒および内容物に関する情報に基づいて、封入封緘条件を満たさない通があると判定された場合に、当該封入封緘条件を満たさない通のサムネイル画像を生成し、生成したサムネイル画像をハードディスク１７４に記憶する。
【００５４】
報知手段１７１ｄは、判定手段１７１ａにより、封筒作成ジョブに含まれる封筒および内容物に関する情報に基づいて、封入封緘条件を満たさない通があると判定された場合に、封入封緘条件を満たさない通があることを示すメッセージと共に、当該封入封緘条件を満たさない通に関する情報を報知する。具体的には、報知手段１７１ｄは、封入封緘条件を満たさない通に関する情報として、封筒作成ジョブＤを識別するジョブＩＤと、封筒作成ジョブＤのジョブ名と、封入封緘条件を満たさない通が何通目かを示す通情報と、封入封緘条件を満たさない通のサムネイル画像とを、コンピュータ５へＥメール送信してもよいし、印刷装置１が備える操作パネル（図示しない）上に表示するようにしてもよい。
【００５５】
図５は、報知手段１７１ｄが封入封緘条件を満たさない通に関する情報を操作パネル上に表示した表示画面の一例を示した図である。
【００５６】
図５に示すように、表示画面上、「以下の通が封入枚数（５枚）を超過しています。原稿を編集して出力し直してください。」というメッセージ７０１と、封筒作成ジョブＩＤ７０２と、ジョブ名７０３と、通情報７０４と、サムネイル画像７０５とが表示されている。
【００５７】
ユーザは、この表示画面を確認することにより、封筒作成ジョブＩＤ７０２が示す封筒作成ジョブＤのうち、通情報７０４が示す通が封入封緘条件を満たさないと認識することができる。
【００５８】
なお、報知手段１７１ｄによる報知は、Ｅメールや操作パネル上への表示に限らず、音声により報知するようにしてもよい。
【００５９】
次に、以上のように構成された本発明に係る実施形態の画像形成システム１００の動作について、フローチャートを参照して説明する。
【００６０】
図６は、本発明に係る実施形態の画像形成システム１００が備える印刷装置１の動作を示すフローチャートである。
【００６１】
図６に示すように、印刷装置１の制御部１７は、ハードディスク１７４に処理待ちの封筒作成ジョブがあるか否かを判定する（ステップＳ１０１）。なお、処理待ちの封筒作成ジョブが複数ある場合には、先に受信した封筒作成ジョブから下記の処理を実行する。
【００６２】
処理待ちの封筒作成ジョブがある場合（ステップＳ１０１；ＹＥＳ）、通番ｎに初期値として“１”を代入し（ステップＳ１０３）、制御部１７の判定手段１７１ａは、処理待ちの封筒作成ジョブのうち第ｎ通目が封入封緘条件を満たしているか否かを判定する（ステップＳ１０５）。
【００６３】
第ｎ通目が封入封緘条件を満たしていると判定された場合（ステップＳ１０５；ＹＥＳ）、適切に印刷処理および封入封緘処理を実行することができるので、印刷装置１が印刷処理を実行し、封入封緘装置２が封入封緘処理を実行する（ステップＳ１０７）。
【００６４】
一方、第ｎ通目が封入封緘条件を満たしていないと判定された場合（ステップＳ１０５；ＮＯ）、適切に印刷処理および封入封緘処理を実行することができない。そこで、封入封緘条件を満たしていない第ｎ通目の画像データをハードディスク１７４に一時保存する（ステップＳ１０９）。
【００６５】
そして、制御部１７のサムネイル生成手段１７１ｃが、この一時保存された画像データに基づいて、第ｎ通目のサムネイル画像を生成する（ステップＳ１１１）。
【００６６】
制御部１７は、現在の通番ｎが全通数Ｎ以上となったか否かを判定する（ステップＳ１１３）。
【００６７】
現在の通番ｎが全通数Ｎ未満である場合（ステップＳ１１３；ＮＯ）、全通についてステップＳ１０５〜Ｓ１１３までの処理を実行していないので、通番ｎをインクリメントして（ステップＳ１１５）、処理をステップＳ１０５へ移行する。
【００６８】
一方、現在の通番ｎが全通数Ｎ以上である場合（ステップＳ１１３；ＹＥＳ）、全通についてステップＳ１０５〜Ｓ１１３までの処理を実行したことになる。
【００６９】
そこで、制御部１７の報知手段１７１ｄは、この封筒作成ジョブの中でステップＳ１０９において一時保存した通があるか否かを判定する（ステップＳ１１７）。
【００７０】
一時保存した通があると判定された場合（ステップＳ１１７；ＹＥＳ）、封入封緘条件を満たしていない画像データが存在するので、報知手段１７１ｄは、表示画面上に、メッセージ７０１と、ジョブＩＤ７０２と、ジョブ名７０３と、一時保存した通の通情報７０４と、一時保存した通のサムネイル画像７０５とを表示させる（ステップＳ１１９）。なお、一時保存した通の画像データは、ステップＳ１１９の処理の後にハードディスク１７４から削除してもよいし、そのまま保存しておいてもよい。
【００７１】
以上のように、本発明に係る実施形態の画像形成システム１００によれば、通単位で、封筒作成ジョブに含まれる封筒および内容物に関する情報が、封入封緘装置２により封入封緘可能な封筒および内容物の条件である封入封緘条件を満たすか否かを判定する判定手段１７１ａと、判定手段１７１ａにより封入封緘条件を満たさないと判定された通に先立ち、後続の封入封緘条件を満たす通の印刷処理および封入封緘処理を優先して実行させる処理順決定手段１７１ｂとを備える。
【００７２】
そのため、封筒作成ジョブに、封入封緘条件を満たさない画像データが含まれていたとしても、印刷処理および封入封緘処理を停止することなく、後続の通の印刷処理および封入封緘処理を継続して実行することができる。これにより生産性を向上させることができる。
【００７３】
また、本発明に係る実施形態の画像形成システム１００によれば、判定手段１７１ａにより、封入封緘条件を満たさない通があると判定された場合に、当該封入封緘条件を満たさない通に関する情報を報知する報知手段を、さらに備えている。
【００７４】
そのため、封入封緘条件を満たさない通がある場合、ユーザはその旨を知ることができるので、コンピュータ５を用いて、封入封緘条件を満たさない通の画像データを、封入封緘条件を満たすように再編集して生成し直すことができる。そして、再編集した画像データに基づいて封筒作成ジョブを生成し、画像形成システム１００へ送信することにより、再編集した画像データに基づいて封筒を作成することができる。
【００７５】
また、本発明に係る実施形態の画像形成システム１００によれば、判定手段１７１ａにより、封入封緘条件を満たさない通があると判定された場合に、当該封入封緘条件を満たさない通のサムネイル画像を生成するサムネイル生成手段１７１ｃをさらに備え、報知手段１７１ｄが、サムネイル生成手段１７１ｃにより生成されたサムネイルを報知する。
【００７６】
そのため、ユーザは封入封緘条件を満たさない通を認識しやすくなる。
【００７７】
（付記）
本出願は、以下の発明を開示する。
【００７８】
（付記１）
封筒作成ジョブに基づいて封筒および内容物を通単位で印刷する印刷装置と、前記印刷装置により印刷された内容物を折り畳んで前記封筒に封入して封緘する封入封緘装置とを備えた画像形成システムであって、
前記封筒作成ジョブに含まれる前記封筒および前記内容物に関する情報が、前記封入封緘装置により封入封緘可能な前記封筒および前記内容物の条件である封入封緘条件を満たすか否かを前記通単位で判定する判定手段と、
前記判定手段により封入封緘条件を満たさないと判定されたときには、後続の封入封緘条件を満たす通の印刷処理および封入封緘処理を実行させる処理順決定手段と、
を備えたことを特徴とする画像形成システム。
【００７９】
（付記２）
前記判定手段により、前記封入封緘条件を満たさない通があると判定された場合に、当該封入封緘条件を満たさない通に関する情報を報知する報知手段を、
さらに備えたことを特徴とする（付記１）記載の画像形成システム。
【００８０】
（付記３）
前記判定手段により、前記封入封緘条件を満たさない通があると判定された場合に、当該封入封緘条件を満たさない通のサムネイル画像を生成するサムネイル生成手段を、さらに備え、
前記報知手段は、前記サムネイル生成手段により生成されたサムネイル画像を表示する
ことを特徴とする（付記２）記載の画像形成システム。
【符号の説明】
【００８１】
１  印刷装置
２  封入封緘装置
５  コンピュータ
１７  制御部
１００  画像形成システム
１７１  ＣＰＵ
１７１ａ  判定手段
１７１ｂ  処理順決定手段
１７１ｃ  サムネイル生成手段
１７１ｄ  報知手段
１７２  メモリ
１７３  プログラム記憶部
１７４  ハードディスク
【図１】
2019038226.tif 000003
【図２】
2019038226.tif 000004
【図３】
2019038226.tif 000005
【図４Ａ】
2019038226.tif 000006
【図４Ｂ】
2019038226.tif 000007
【図４Ｃ】
2019038226.tif 000008
【図５】
2019038226.tif 000009
【図６】
2019038226.tif 000010